【手続補正書】
【提出日】平成19年3月15日(2007.3.15)
【手続補正１】
【補正対象書類名】明細書
【補正対象項目名】特許請求の範囲
【補正方法】変更
【補正の内容】
【特許請求の範囲】
【請求項１】  映像データ、音声データ及びメタデータが入力される入力処理手段と、
上記メタデータとは別の、音声及び映像を識別するためのメタデータのうち少なくとも１つを生成するメタデータ生成手段と、
上記映像データ、上記音声データ及び上記メタデータと、上記メタデータ生成手段からの上記別のメタデータとを記録するデータ蓄積手段とを備えること
を特徴とする素材蓄積装置。
【請求項２】  上記入力されるメタデータは、取材場所の地名を表すギャザリング・ロケーション・プレイス（Gathering_Location_Place）、撮影者の名前を表すフォトグラファ（Photographer）、取材を担当する記者に関する情報を示すジャーナリスト・インフォメーション（Jurnalist Information）、ニュース番組のディレクタを表すディレクタ（Director）、Contentsは、撮影内容に関連するその他の情報が記述されるコンテンツ（Contents）、撮影開始日時を表すギャザリング・スタート・デートタイム（Gathering_Start_DateTime）、撮影終了時間を示すギャザリング・エンド・デートタイム（Gathering_End_DateTime）、ニュース番組のプロデューサを表すプロデューサ（Producer）、ＮＣＳ（NewsroomComputer System）に登録されているニュース番組項目・番組毎に設定されたIDであるエヌ・シー・エス・アイディー（NCS ID）、撮影場所の緯度を表すギャザリング・ロケーション・ラティテュード（Gathering_Location_Latitude）、撮影場所の経度を表すギャザリング・ロケーション・ロンジテュード（Gathering_Location_Longitude）、撮影場所の高度を表すギャザリング・ロケーション・アルティテュード（Gathering_Location_Altitude）、撮影時の時間を表すギャザリング・ロケーション・タイム（Gathering_Location_Time）、撮像装置を識別する機材ID、撮像装置の設定を示すカメラ・セットアップ・インフォメーション（Camera Setup Imformation）、記録媒体を識別するリール・ナンバ（Reel Number）、撮影に要した時間を示すデュレーション（Duration）、各シーンの開始時間を表すスタート・オブ・マテリアル（Start Of Material）、取材題目を示すタイトル（Title）、撮影の際、手動で入力されるマーク点を示すグッド・ショット・マーク（Good Shot Mark）、及びレコード・スタート・マーク（REC Start Mark）、マイクチャンネルを示すオーディオチャンネル・インフォメーション（Audio Channel Information）、音声の記録がモノラルか、ステレオか、バイリンガルかを示すオーディオ・タイプ（Audio Type）、素材を識別するために唯一的に決められたIDであるユーミッド・オーディオ（UMID（Audio））、及びユーミッド・ビデオ（UMID（Video））、素材データの著作権を表すコピーライト（Copyright）を表すメタデータであること
を特徴とする請求項１記載の素材蓄積装置。
【請求項３】  上記音声及び映像を識別するためのメタデータは、素材データの供給源を示すソース（Source）、データストリームの形式を示すフォーマット（Format）、映像の圧縮を示すビデオ・ビット・レイト（Video Bit Rate）、映像がMPEG形式の場合の圧縮率を示すジー・オー・ピー・サイズ（GOP Size）、解像度を表すレゾリューション（Resolution）、音声データのチャンネル数を表すオーディオ・ナンバ・オブ・チャンネル（Audio Number of Channel）、音声データが圧縮されているか否かを表すオーディオ・コンプレッション（Audio Compression）、オーディオサンプリング周波数を表すオーディオ・サンプリング・レイト（Audio Sampling Rate）、音声データのサイズを表すオーディオ・データ・サイズ（Audio Data Size）、収録方法を示すレック・タイプ（REC_Type）、既存の画像処理システムにおいて使用されている素材を識別するためのIDを示すマテリアル・ID（Material_ID）、素材に対して、数回の編集等を施す間に変形したか否か等を示すサブ・キー（Sub Key）、素材データの種類を示すIDであるユーミッド・データ（UMID（Data））、ユーミッド・オーディオとユーミッド・ビデオとを纏めたユーミッド・システム（UMID（System））、素材の長さを表すファイル・レングス（File Length）、映像及び音声データを含むファイル全体のサイズ表したエッセンシャル・サイズ（Essence_Size）、映像及び音声データを含むファイル全体のサイズ表したエッセンシャル・サイズ（Essence_Size）、映像データが静止画であるか否かを示すオブジェクト・タイプ（Object Type）、素材データの有効期限を示すバリッド・デイト（Valid Date）を表すメタデータであること
を特徴とする請求項１記載の素材蓄積装置。
【請求項４】  データ蓄積手段に記録される上記映像データ、上記音声データ、上記メタデータ及び上記別のメタデータを読み出し、これらを合成して出力する出力処理手段を備えること
を特徴とする請求項１記載の素材蓄積装置。
【請求項５】  上記入力処理手段によって入力された上記画像データと上記音声データとを符号化する符号化手段を備えること
を特徴とする請求項１記載の素材蓄積装置。
【請求項６】  データ蓄積手段に符号化されて記録されている上記画像データと上記音声データとを上記符号化に対応する復号処理を行う復号手段を備えること
を特徴とする請求項５記載の素材蓄積装置。
【請求項７】  映像データ、音声データ及びメタデータが入力される入力処理工程と、
上記メタデータとは別の、音声及び映像を識別するためのメタデータのうち少なくとも１つを生成するメタデータ生成工程と、
上記映像データ、上記音声データ及び上記メタデータと、上記メタデータ生成手段からの上記別のメタデータとを記録するデータ蓄積工程とを備えること
を特徴とする素材蓄積方法。
【請求項８】  上記入力されるメタデータは、取材場所の地名を表すギャザリング・ロケーション・プレイス（Gathering_Location_Place）、撮影者の名前を表すフォトグラファ（Photographer）、取材を担当する記者に関する情報を示すジャーナリスト・インフォメーション（Jurnalist Information）、ニュース番組のディレクタを表すディレクタ（Director）、Contentsは、撮影内容に関連するその他の情報が記述されるコンテンツ（Contents）、撮影開始日時を表すギャザリング・スタート・デートタイム（Gathering_Start_DateTime）、撮影終了時間を示すギャザリング・エンド・デートタイム（Gathering_End_DateTime）、ニュース番組のプロデューサを表すプロデューサ（Producer）、ＮＣＳ（NewsroomComputer System）に登録されているニュース番組項目・番組毎に設定されたIDであるエヌ・シー・エス・アイディー（NCS ID）、撮影場所の緯度を表すギャザリング・ロケーション・ラティテュード（Gathering_Location_Latitude）、撮影場所の経度を表すギャザリング・ロケーション・ロンジテュード（Gathering_Location_Longitude）、撮影場所の高度を表すギャザリング・ロケーション・アルティテュード（Gathering_Location_Altitude）、撮影時の時間を表すギャザリング・ロケーション・タイム（Gathering_Location_Time）、撮像装置を識別する機材ID、撮像装置の設定を示すカメラ・セットアップ・インフォメーション（Camera Setup Imformation）、記録媒体を識別するリール・ナンバ（Reel Number）、撮影に要した時間を示すデュレーション（Duration）、各シーンの開始時間を表すスタート・オブ・マテリアル（Start Of Material）、取材題目を示すタイトル（Title）、撮影の際、手動で入力されるマーク点を示すグッド・ショット・マーク（Good Shot Mark）、及びレコード・スタート・マーク（REC Start Mark）、マイクチャンネルを示すオーディオチャンネル・インフォメーション（Audio Channel Information）、音声の記録がモノラルか、ステレオか、バイリンガルかを示すオーディオ・タイプ（Audio Type）、素材を識別するために唯一的に決められたIDであるユーミッド・オーディオ（UMID（Audio））、及びユーミッド・ビデオ（UMID（Video））、素材データの著作権を表すコピーライト（Copyright）を表すメタデータであること
を特徴とする請求項７記載の素材蓄積方法。
【請求項９】  上記音声及び映像を識別するためのメタデータは、素材データの供給源を示すソース（Source）、データストリームの形式を示すフォーマット（Format）、映像の圧縮を示すビデオ・ビット・レイト（Video Bit Rate）、映像がMPEG形式の場合の圧縮率を示すジー・オー・ピー・サイズ（GOP Size）、解像度を表すレゾリューション（Resolution）、音声データのチャンネル数を表すオーディオ・ナンバ・オブ・チャンネル（Audio Number of Channel）、音声データが圧縮されているか否かを表すオーディオ・コンプレッション（Audio Compression）、オーディオサンプリング周波数を表すオーディオ・サンプリング・レイト（Audio Sampling Rate）、音声データのサイズを表すオーディオ・データ・サイズ（Audio Data Size）、収録方法を示すレック・タイプ（REC_Type）、既存の画像処理システムにおいて使用されている素材を識別するためのIDを示すマテリアル・ID（Material_ID）、素材に対して、数回の編集等を施す間に変形したか否か等を示すサブ・キー（Sub Key）、素材データの種類を示すIDであるユーミッド・データ（UMID（Data））、ユーミッド・オーディオとユーミッド・ビデオとを纏めたユーミッド・システム（UMID（System））、素材の長さを表すファイル・レングス（File Length）、映像及び音声データを含むファイル全体のサイズ表したエッセンシャル・サイズ（Essence_Size）、映像及び音声データを含むファイル全体のサイズ表したエッセンシャル・サイズ（Essence_Size）、映像データが静止画であるか否かを示すオブジェクト・タイプ（Object Type）、素材データの有効期限を示すバリッド・デイト（Valid Date）を表すメタデータであること
を特徴とする請求項７記載の素材蓄積方法。
【請求項１０】  上記データ蓄積工程において記録される上記映像データ、上記音声データ、上記メタデータ及び上記別のメタデータを読み出し、これらを合成して出力する出力処理工程を備えること
を特徴とする請求項７記載の素材蓄積方法。
【請求項１１】  上記入力処理工程によって入力された上記画像データと上記音声データとを符号化する符号化工程を備えること
を特徴とする請求項７記載の素材蓄積方法。
【請求項１２】  上記データ蓄積工程において記録される際に、符号化されて記録されている画像データと音声データとを上記符号化に対応する復号処理を行う復号工程を備えること
を特徴とする請求項１１記載の素材蓄積方法。
【手続補正２】
【補正対象書類名】明細書
【補正対象項目名】００１１
【補正方法】変更
【補正の内容】
【００１１】
【課題を解決するための手段】
上述した目的を達成するために、本発明に係る素材蓄積装置は、映像データ、音声データ及びメタデータが入力される入力処理手段と、上記メタデータとは別の音声及び映像を識別するためのメタデータを生成するメタデータ生成手段と、上記映像データ、上記音声データ及び上記メタデータと、上記メタデータ生成手段からの別のメタデータとを記録するデータ蓄積手段とを備える。
【手続補正３】
【補正対象書類名】明細書
【補正対象項目名】００１２
【補正方法】変更
【補正の内容】
【００１２】
上述した目的を達成するために、本発明に係る素材蓄積方法は、映像データ、音声データ及びメタデータが入力される入力処理工程と、上記メタデータとは別の音声及び映像を識別するためのメタデータを生成するメタデータ生成工程と、上記映像データ、上記音声データ及び上記メタデータと、上記メタデータ生成手段からの上記別のメタデータとを記録するデータ蓄積工程とを備える。
【手続補正４】
【補正対象書類名】明細書
【補正対象項目名】０２５２
【補正方法】変更
【補正の内容】
【０２５２】
【発明の効果】
以上詳細に説明したように本発明に係る素材蓄積装置は、映像データ、音声データ及びメタデータとが入力される入力処理手段と、上記メタデータとは別の、音声及び映像を識別するためのメタデータのうち少なくとも１つを生成するメタデータ生成手段と、上記映像データ、上記音声データ及び上記メタデータと、メタデータ生成手段からの別のメタデータとを記録するデータ蓄積手段とを備える。
【手続補正５】
【補正対象書類名】明細書
【補正対象項目名】０２５５
【補正方法】変更
【補正の内容】
【０２５５】
以上詳細に説明したように本発明に係る素材蓄積方法は、映像データ、音声データ及びメタデータとが入力される入力処理工程と、上記メタデータとは別の、音声及び映像を識別するためのメタデータのうち少なくとも１つを生成するメタデータ生成工程と、上記映像データ、上記音声データ及び上記メタデータと、上記メタデータ生成手段からの別のメタデータとを記録するデータ蓄積工程とを備える。